(57)【要約】【課題】遊技者にとって関心ある遊技球の進行方向を、遊技者が容易に識別できるようにすると共に、遊技盤上の回転体の配設される位置における装飾性を、多様化して、より一層向上させるような弾球遊技機用の回転装置を提供する。【解決手段】弾球遊技機用の回転装置が、遊技球の接触により回転する回転体と、所定の発光色を有する発光体とを設けており、回転体の回転方向を検知する検知手段を備え、回転体の回転方向に応じて、発光体の発光態様が変化するように構成してなることにより、遊技者にとって関心ある遊技球の進行方向を、遊技者が容易に識別できるようになると共に、遊技盤上の回転体の配設される位置における装飾性が、多様化して、より一層向上する。【選択図】  図２
2005000548.tif 000002
【特許請求の範囲】
【請求項１】
弾球遊技機における遊技盤面上の遊技領域に配設されて、遊技球の接触により回転する回転体と、所定の発光色を有する発光体とを設けてなる回転装置において、回転体の回転方向を検知する検知手段を備え、回転体の回転方向に応じて、発光体の発光態様が変化するように構成してなることを特徴とする弾球遊技機用の回転装置。
【請求項２】
発光体の発光態様は、回転体の回転方向に応じて、発光体を異なる発光色で発光させることにより変化するように構成してなる請求項１記載の弾球遊技機用の回転装置。
【請求項３】
検知手段は、複数の検知体と、少なくとも１つの被検知体とからなり、被検知体が回転体の回転方向に回転して第一の検知体によって検出され、ついで第二の検知体によって検出されることにより、回転体の回転方向を検知するように構成してなる請求項１又は２記載の弾球遊技機用の回転装置。
【請求項４】
発光体は、検知手段によって回転体の回転方向が検知されるごとに、所定時間発光態様を維持するように構成してなる請求項１から３のいずれか１つに記載の弾球遊技機用の回転装置。
【請求項５】
回転体は、遊技盤に装着される基台に支持された回転軸に軸支され、検知手段は、基台に設けられた検知体と回転体に設けられた被検知体とを有しており、発光体は、少なくとも該発光体の先端が回転体内部に位置するように設けられてなる請求項１から４のいずれか１つに記載の弾球遊技機用の回転装置。
【請求項６】
検知手段は、回転体の回転速度を検知し、発光体の発光態様は、回転体の回転速度に応じて、発光体を異なる点滅間隔で発光させることにより変化するように構成してなる請求項１から３のいずれか１つに記載の弾球遊技機用の回転装置。
【発明の詳細な説明】
【０００１】
【発明の属する技術分野】
本発明は、弾球遊技機用の回転装置に関し、詳しくは遊技者にとって関心ある遊技球の進行方向を、遊技者が容易に識別できるようにすると共に、遊技盤上の回転体の配設される位置における装飾性を多様化し、より一層向上させた弾球遊技機用の回転装置に関する。
【０００２】
【従来の技術】
パチンコ機やアレンジボール機などの遊技機には、ランプ部品や照明ランプ具とも呼ばれる発光装置が多く採用され、これらの中には遊技盤面上に配置される風車とも呼ばれる回転体を設けた回転装置に、遊技盤の裏面から表面方向に光が照射可能にフィラメント式ランプや発光ダイオード等の発光体を設けているものがある。この場合、回転装置は、弾球遊技機において装飾性を向上させ、遊技者の興味を惹きつける役割を担う。
【０００３】
弾球遊技機における装飾性を向上させた回転装置として、下記特許文献１に示す如き回転装置が提案されている。
即ち、特許文献１には、遊技盤の盤面に沿って飛行又は落下する遊技球の移動方向を変化させるための光透過性を有する回転体としての障害体と、障害体を遊技盤に装着するための取り付けベースと、障害体に遊技球が当たった時に回転するように、該障害体を取り付けベースに回転自在に支持する支軸と、障害体に取り付けベース側から光を照射するための発光ランプとを備えた弾球遊技機用の障害装置において、障害体の回転を検出して、該障害体の回転時に、発光ランプを点滅させるための検出手段を備えた弾球遊技機用の障害装置が開示されていると共に、検出手段を障害体の回転速度に同期してオン・オフするように構成し、この検出手段のオン・オフにより発光ランプを点滅させるように、検出手段と発光ランプとを直列に接続して構成された弾球遊技機用の回転装置としての障害装置が開示されている。
【０００４】
【特許文献１】
特開平８−９８９２１号
【０００５】
ところで、回転装置は、遊技盤面に沿って打ち出された遊技球の進行方向を不規則に振り分ける役割をも担うものである。すなわち、遊技球が回転体に衝突すると、遊技球の衝突角度と衝突位置によって、衝突直前の進行方向に対して左右いずれかの方向（以下、それぞれ右進行方向、左進行方向という。）に、遊技球の進行方向が分かれる。このとき、回転体は、遊技球の進行方向に応じて異なる方向に回転する。なお、以下、遊技者側から遊技球を見て、回転装置に衝突した遊技球が右方向に振り分けられる場合に、遊技球の進行方向は右進行方向であるものとし、また、回転装置に衝突した遊技球が左方向に振り分けられる場合に、遊技球の進行方向は左進行方向であるものとする。
【０００６】
ここで、遊技球は、回転装置によって振り分けられた進行方向に応じて始動入賞口への入賞可能性を異にすることから、回転装置による遊技球の進行方向の変化は、遊技者にとって関心の大きいものである。
【０００７】
【発明が解決しようとする課題】
上記した特許文献１の障害装置によれば、発光ランプの点滅が検出手段の検知・不検知によって生じるオン・オフ信号のみに依存するから、この障害装置は、発光ランプの点滅により、遊技者に対して、障害体の回転有無と回転速度を識別させることができるものの、遊技者にとって関心ある遊技球の進行方向の変化、即ち、遊技球が入賞口に入賞しやすい方向に移動するか、入賞し難い方向に移動するかを判別させることができないという不具合があった。すなわち、従来、遊技者は、遊技球を直接目視しなければ、遊技球の進行方向を判別することができなかった。
【０００８】
さらに、特許文献１の障害装置は、オン・オフ信号によって障害体の発光ランプを点滅させるという構成により、弾球遊技機の装飾性をある程度向上することができるが、発光ランプの点滅という構成のみであるため、装飾性の向上にも限界があるものであった。
【０００９】
本発明は、上記問題点に鑑み、遊技者にとって関心ある遊技球の進行方向を、遊技者が容易に識別できるようにすると共に、遊技盤上の回転体の配設される位置における装飾性を、多様化して、より一層向上させるような弾球遊技機用の回転装置を提供することを目的とする。
【００１０】
【課題を解決するための手段】
本発明は、弾球遊技機における遊技盤面上の遊技領域に配設されて、遊技球の接触により回転する回転体と、所定の発光色を有する発光体とを設けてなる回転装置において、回転体の回転方向を検知する検知手段を備え、回転体の回転方向に応じて、発光体の発光態様が変化するように構成してなることを特徴とする弾球遊技機用の回転装置である。
【００１１】
本発明において、発光体の発光態様は、回転体の回転方向に応じて、発光体を異なる発光色で発光させることにより変化するように構成される。
【００１２】
本発明において、検知手段は、複数の検知体と、少なくとも１つの被検知体とからなり、被検知体が回転体の回転方向に回転して第一の検知体によって検出され、ついで第二の検知体によって検出されることにより、回転体の回転方向を検知するように構成される。
【００１３】
本発明において、発光体は、検知手段によって回転体の回転方向が検知されるごとに、所定時間発光態様を維持するように構成される。
【００１４】
また、本発明において、回転体は、遊技盤に装着される基台に支持された回転軸に軸支されて、検知手段は、基台に設けられた検知体と回転体に設けられた被検知体とを有し、発光体は、少なくとも該発光体の先端が回転体内部に位置するように設けられてなるものである。
【００１５】
更に、本発明において、検知手段は、回転体の回転速度を検知し、発光体の発光態様は、回転体の回転速度に応じて、発光体を異なる点滅間隔で発光させることにより変化するように構成される。
【００１６】
【発明の実施の形態】
本発明における実施の形態について図面を参照しつつ説明する。
図３は弾球遊技機を示すもので、該弾球遊技機は遊技盤５０を有しており、該遊技盤５０は、遊技機本体の外郭をなす外枠６６の開口部に開閉自在に枢着された中枠６５の正面内側に着脱可能に設けられている。また、遊技盤５０は、図示しない曲線状の案内レールを有し、遊技領域５１の略中央に図柄表示部５３を正面に向けて図柄表示装置５４を設け、図柄表示装置５４を挟んで左右の領域に回転装置１（１ａ、１ｂ、１ｃ、１ｄ）や普通入賞口５７を、また図柄表示装置５４の下方の領域に始動入賞口５５、大入賞口５９やゲート６１を備え、所要位置に障害釘６７を多数設けて構成される。なお、始動入賞口５５、普通入賞口５７や大入賞口５９は、それぞれ始動入賞具５６、普通入賞具５８、開閉部材６０によって形成される。
【００１７】
以下、本発明の回転装置１について、遊技盤５０に配置された４つの回転装置のうち正面左下方位置に設けられた回転装置１ｄを実施例として、詳細に説明する。
【００１８】
回転装置１ｄは、図１、図２、図７に示すように、遊技盤面上の遊技領域５１に設けられている基台３と、基台３の略中央を貫通してこれに支持された回転軸４と、基台３正面方向の位置で回転軸４に軸支された回転体２と、回転軸４を基台３の裏面側から固定する留め具１８と、基台３に設けられた発光体９とを有すると共に、検知体６と被検知体７とからなる検知手段５を有してなる。検知手段５の検知体６は、回転装置１ｄの基台３に設けられ、被検知体７は、回転装置１ｄの回転体２に設けられている。
【００１９】
回転体２は、円形状の円盤部２５と、円盤部２５の外縁より遊技盤面方向に突出してなる円筒部２６と、円盤部２５の中央位置より遊技盤面方向に、軸挿通穴２１を有する筒部１１とを備えており、円筒部２６の内面には、被検知体７が設けられている。
【００２０】
基台３は取付基台１３と基板１４とからなり、取付基台１３は、略楕円形状の板状体として構成され、長径方向の両端にネジ穴１７を有するフランジ１６を設け、かつ中央位置に軸挿通穴２２を有するボス部１２を設け、ボス部１２を中心にしてその周囲適宜位置に複数の発光体挿通穴２４及び検知体挿通穴２３を設けてなるものである。また、基板１４は、円盤状の形態を有しており、その中央部にボス部１２を挿通し得る開口部３０が設けられている。
【００２１】
回転軸４は、回転体２の筒部１１に設けられた軸挿通穴２１及び取付基台１３のボス部１２に設けられた軸挿通穴２２に挿通され、これにより基台３に回転体２が回転可能に取付けられている。この場合、回転軸４がボス部１２に固定されるとともに、回転体２が回転軸４に対して回動可能に取付けられる。なお、留め具１８は、回転軸４の軸挿通穴２１、２２からの抜け出しを防止する。
【００２２】
検知体６は、絶縁体からなる検知体支持部材８で、一部を突出させつつ被覆されており、先端突出部を基台３に穿設された検知体挿通穴２３に挿通させ、他端をリードピン２０を介して基板１４に固定することにより配設されている。
夫々の検知体６ａ、６ｂ、６ｃは、図４に示すように、回転軸４を中心とした円周を略等分割する位置に配設される。この場合、検知体６は、回転軌道上において被検知体７と相対向する位置に設けられ、回転体の回転時に被検知体７と近接して、その被検知体７を検出することができるようになっており、具体的には、検知体６は磁気センサーであり、被検知体７は磁性体である。
【００２３】
発光体９は、フィラメント式ランプであり、所定の発光色を有する発光部位の先端を回転体２の方向に向けるとともに取付基台１３に穿設された発光体挿通穴２４に挿通させ、他端をリードピン１０を介して基板１４に固定して配設されている。
発光体９ａの発光色は、青色であり、発光体９ｂの発光色は、赤色である。
【００２４】
遊技盤５０には、図２に示すように、回転装置１ｄを固定するための取付穴６２が設けられている。回転装置１ｄを遊技盤５０に取付けるに当っては、基台３の基板１４側を取付穴６２に挿通し、かつ取付基台１３のネジ孔１７にネジ１５を螺合することにより該取付基台１３を取付穴６２周囲に固定する。
【００２５】
本発明の回転装置１ｄにおいては、被検知体７が回転体２の回転方向に回転して第一の検知体によって検出され、ついで第二の検知体によって検出されることにより、検知手段５が回転体２の回転方向を検知する。この場合、検知手段５の検知体６は、以下のように被検知体７を検出する。
【００２６】
回転装置１ｄの回転体２が、図４に示すように、Ａ方向に回転すると、被検知体７が第一の検知体６ａに近接して、検知体６ａによって検出される。回転体２が、更にＡ方向に回転すると、被検知体７が第二の検知体６ｂに近接して、検知体６ｂによって検出される。
また、被検知体７が、回転軌道上相隣合う検知体６ａと検知体６ｂとの間に位置している場合には、検知体６ｂが第一の検知体となり、検知体６ｃが第二の検知体となる。被検知体７が、回転軌道上相隣合う検知体６ｂと検知体６ｃとの間に位置している場合には、検知体６ｃが第一の検知体となり、検知体６ａが第二の検知体となる。
このような回転体２のＡ方向への回転時に第一の検知体と第二の検知体によって形成される３種類の検出態様は、いずれも検出パターンＡであるものとする。
【００２７】
回転体２が、図４に示すように、Ｂ方向に回転すると、被検知体７が第一の検知体６ｃに近接して、検知体６ｃによって検出される。回転体２が、更にＢ方向に回転すると、被検知体７が第二の検知体６ｂに近接して、検知体６ｂによって検出される。
また、被検知体７が、回転軌道上相隣合う検知体６ｃと検知体６ｂとの間に位置している場合には、検知体６ｂが第一の検知体となり、検知体６ａが第二の検知体となる。被検知体７が、回転軌道上相隣合う検知体６ｂと検知体６ａとの間に位置している場合には、検知体６ａが第一の検知体となり、検知体６ｃが第二の検知体となる。
このような回転体２のＢ方向への回転時に第一の検知体と第二の検知体によって形成される３種類の検出態様は、いずれも検出パターンＢであるものとする。
【００２８】
検知手段５は、検出態様が検出パターンＡである場合に、検知信号（信号Ｒとする。）を出力し、検出態様が検出パターンＢである場合に、信号Ｒと相違する検知信号（信号Ｌとする。）を出力する。
【００２９】
回転装置１ｄは、発光体９の発光態様を、上記検知信号が信号Ｒである場合に、発光体９ａに通電して、これを青色発光させてなる発光態様とし、検知信号が信号Ｌである場合に、発光体９ｂに通電して、これを赤色発光させてなる発光態様とする。
【００３０】
回転装置１ｄにおいて、検出態様は、検出パターンＡ或いはＢのいずれか一方に必ず該当し、検出パターンＡの検出態様は、Ａ方向に回転体２が回転する場合にのみ現れ、検出パターンＢの検出態様は、Ｂ方向に回転体２が回転する場合にのみ現れるとともに、検出態様が検出パターンＡである場合に発光体は青色発光し、検出態様が検出パターンＢである場合に発光体は赤色発光するように構成するものであるから、本発明の回転装置１ｄは、回転装置１ｄの回転体２の回転方向を確実に識別可能にするものである。
【００３１】
弾球遊技機において、遊技盤面に沿って打ち出された遊技球が回転体２に衝突すると、遊技球は、衝突直前の進行方向に対して、右進行方向あるいは左進行方向のいずれかに振り分けられ、右進行方向あるいは左進行方向のいずれの進行方向に振り分けられるかによって、始動入賞口５５への入賞しやすさを異にする。
例えば、回転装置１ｄに衝突した遊技球が、衝突直前の遊技球の進行方向に対して右進行方向に振り分けられると、図３に示すように、始動入賞口５５に対して入賞しやすいように配置された障害釘６８ａに乗って移動する。この時、回転体２はＡ方向（時計まわり）に回転し、信号Ｒが出力されて発光体９ａが青色に発光する。また、衝突直前の遊技球の進行方向に対して左進行方向に振り分けられると、始動入賞口５５に対して入賞し難いように配置された障害釘６８ｂに乗って移動することとなる。この時、回転体２はＢ方向（反時計まわり）に回転し、信号Ｌが出力されて発光体９ｂが赤色に発光する。
【００３２】
したがって、遊技球が回転装置１ｄに衝突して、回転体２がＡ方向に回転すれば、遊技球は始動入賞口５５に入賞しやすい進行方向に振り分けられ、発光体９ａが青色に発光する。また、回転体２がＢ方向に回転すれば、始動入賞口５５に入賞し難い進行方向に振り分けられ、発光体９ｂが赤色に発光する。
【００３３】
本発明の回転装置１ｄは、既述のように回転体２の回転方向に応じて発光態様を変化させることで回転体２の回転方向を識別可能に構成したものであるから、遊技球の進行方向が入賞し易い方向であるか、入賞し難い方向であるかを遊技者に識別可能にするものである。
【００３４】
本発明の回転装置１ｄは、検知手段５が、２つの検知体６と少なくとも１つの被検知体７とからなり、被検知体７が回転体２の回転方向に回転して第一の検知体によって検知され、ついで第二の検知体によって検出されるとともに、いずれか１つの検知体６に連続して検出されることにより、回転方向の変化を検知するように構成してなるものであってもよい。
【００３５】
例えば、本発明の回転装置１ｄは、図５に示すように、２つの検知体６と１つの被検知体７とからなる検知手段５を設けており、２つの検知体６を互いに回転軸４を中心とした対称位置に設けてなるものを挙げることができる。この回転装置１ｄは、以下のようにして回転体２の回転方向の変化に応じて発光体９ａ、９ｂの発光態様を変化させる。
【００３６】
回転装置１ｄの回転体２が、図５に示すように、Ａ方向に回転すると、被検知体７が検知体６ｂに近接して、第一の検知体６ｂによって検出される。
被検知体７が第一の検知体６ｂにより検出された後、更に、回転体２が、図５に示すようにＡ方向に回転すると、被検知体７が検知体６ａに近接して、検知体６ａによって検出される。この場合、検知体６ａは第二の検知体となる。
【００３７】
一方、被検知体７が第一の検知体６ｂにより検出された後、回転体２が、図５に示すＢ方向に回転すると、再び被検知体７が検知体６ｂに近接して、連続して検知体６ｂによって検出される。この場合、検知体６ｂは、第二の検知体となる。すなわち、検知体６ｂは、第一の検知体であると共に第二の検知体となる。
【００３８】
また、被検知体７が、回転軌道上、検知体６ｂからＡ方向に検知体６ａまでの間に位置する場合、検知体６ａは第一の検知体となり、被検知体７が第一の検知体６ａにより検出された後、被検知体７がＡ方向に回転すれば、検知体６ｂは第二の検知体となり、一方、被検知体７がＢ方向に回転すれば、検知体６ａは、第一の検知体であると共に第二の検知体となる。
【００３９】
回転体２が、図５に示すように、Ｂ方向に回転すると、被検知体７が検知体６ａに近接して、第一の検知体６ａによって検出される。被検知体７が第一の検知体６ａにより検出された後、更に、回転体２が、図５に示すようにＢ方向に回転すると、被検知体７が検知体６ｂに近接して、検知体６ｂによって検出される。
この場合、検知体６ｂは第二の検知体となる。
【００４０】
一方、被検知体７が第一の検知体６ａにより検出された後、回転体２が、図５に示すＡ方向に回転すると、再び被検知体７が検知体６ａに近接して、連続して検知体６ａによって検出される。この場合、検知体６ａは、第一の検知体であるとともに第二の検知体でもある。
【００４１】
また、被検知体７が、回転軌道上、検知体６ａからＢ方向に検知体６ｂまでの間に位置する場合、検知体６ｂは第一の検知体となり、被検知体７が第一の検知体６ｂにより検出された後、被検知体７がＢ方向に回転すれば、検知体６ａは第二の検知体となり、被検知体７がＡ方向に回転すれば、検知体６ｂは、第一の検知体であるとともに第二の検知体となる。
【００４２】
このように、回転体２の回転方向がＡ方向からＢ方向に変化すれば、必ず連続して同一の検知体６によって被検知体７が検知されて第一の検知体と第二の検知体が同一となり、回転体２の回転方向が変化しなければ、第一の検知体と第二の検知体が相違する。回転体２の回転方向がＢ方向からＡ方向に変化する場合においても同様である。
【００４３】
検知手段５は、連続して同一の検知体によって被検知体７が検知されて、第一の検知体と第二の検知体が同一となる場合に所望の検知信号（信号Ｔとする。）を出力する。
【００４４】
回転装置１ｄは、上記信号Ｔの出力によって、発光体９の発光態様を、発光体９ａに通電し、これを青色発光させてなる発光態様と、発光体９ｂに通電し、これを赤色発光させてなる発光態様との間で相互に切替えさせて変化させる。
【００４５】
このように、この回転装置１ｄは、回転体２の回転方向が変化する場合に、検知手段５に信号Ｔを出力させることにより、発光体９ａを青色発光してなる発光態様と発光体９ｂを赤色発光してなる発光態様とを切替変化させるように構成するものである。
【００４６】
この回転装置１ｄの発光体９は、予め、切替変化可能ないずれかの発光態様をしているが、例えば、発光体９ａを青色発光してなる発光態様をしているとする。ここで、遊技盤面に沿って次々に打ち出された遊技球が、次々と回転装置１ｄの回転体２に衝突して始動入賞口５５に入賞しやすい進行方向に振り分けられ続けると、既述のように回転体２はＡ方向に回転し、さらにこの回転状態が維持され続けるため、発光体９は、発光体９ａを青色発光してなる発光態様を維持し続ける。このとき、遊技盤面に沿って更に打ち出された遊技球が、回転体２に衝突して始動入賞口５５に入賞し難い進行方向に振り分けられると、既述のように回転体２の回転方向はＢ方向に変化し、発光体９の発光態様は、発光体９ｂを赤色発光してなる発光態様に変化する。しかる後、遊技盤面に沿って更に次々に打ち出された遊技球が、次々と回転体２に衝突して始動入賞口５５に入賞し難い進行方向に振り分けられ続けると、回転体２はＢ方向に回転し続けることにより、発光体９は、発光体９ｂを赤色発光してなる発光態様を維持し続ける。
【００４７】
従って、本発明の回転装置１ｄは、回転体２の回転方向の変化に応じて発光態様を変化可能に構成することにより、次々打ち出された遊技球が始動入賞口５５へ入賞し易い方向に移動する傾向にあるのか、始動入賞口５５へ入賞し難い方向に移動する傾向にあるのかを遊技者に識別可能にするものとなる。
【００４８】
ただし、この回転装置１ｄにおける回転体２がＡ方向に回転し続ける場合、第一の検知体と第二の検知体から形成される検出態様は、被検知体７の初期位置によって、第一の検知体が検知体６ａかつ第二の検知体が検知体６ｂである態様と、第一の検知体が検知体６ｂかつ第二の検知体が検知体６ａである態様とから構成され、回転体２がＢ方向に回転し続ける場合においても同様となる。したがって、この回転装置１ｄにおける回転体２の回転方向自体は、検知態様によって特定できるものではない。
【００４９】
すなわち、検知体６を２つ、被検知体７を１つ設けたこの回転装置１ｄにおいては、検知手段５によって回転体２の回転方向の変化を検知できるものの、回転体２の回転方向自体を特定するには至らない。これに対して、被検知体７を１つ設けた場合であって検知体６を３つ設けた場合、（第一の検知体、第二の検知体）の組み合わせは、Ａ方向への回転に対しては（検知体６ａ、検知体６ｂ）、（検知体６ｂ、検知体６ｃ）、（検知体６ｃ、検知体６ａ）となる。また、Ｂ方向への回転に対しては（検知体６ａ、検知体６ｃ）、（検知体６ｃ、検知体６ｂ）、（検知体６ｂ、検知体６ａ）となる。ここで、例えば、第一の検知体が、検知体６ａであるとする。回転体２の回転方向がＡ方向である場合、第二の検知体は必ず検知体６ｂであるが、回転体２の回転方向がＢ方向である場合、第二の検知体は必ず検知体６ｃである。すなわち、（第一の検知体、第二の検知体）の組み合わせが（検知体６ａ、検知体６ｂ）となるのは、回転体２の回転方向がＡ方向である場合でしかあり得ないため、回転体２の回転方向が特定できる。他の組み合わせについても、同様にして、回転体２の回転方向が特定できる。したがって、本発明の回転装置１ｄは、回転体２の回転方向を特定できる点に鑑みれば、被検知体７を１つに対して、検知体６を３つ以上設けることが好ましい。
【００５０】
本発明の回転装置１ｄは、図６に示すように、２つの検知体６と２つの被検知体７とからなる検知手段５を設けており、検知体６と被検知体７を夫々特定の位置に設けてなるものであってもよい。この場合、検知体６が２つであっても、２つの被検知体７を設けることで、回転体２の回転方向を特定できる。
【００５１】
この回転装置１ｄにおいて、夫々の被検知体７ａ、７ｂは、回転軸４を中心とした同一円周上に、互いに回転軸４を中心とした点対称とならないように回転体２に設けられる。また、回転軌道上にある被検知体７ａ、７ｂと相対向するように、夫々の検知体６ａ、６ｂが、夫々の被検知体７ａ、７ｂの間隔と略同一の間隔を隔てて基台３に設けられる。
【００５２】
この回転装置１ｄにおいて、検知手段５の検知体６は、回転体２の回転に伴って、以下のように被検知体７を検出する。
回転体２が、図６に示すように、Ａ方向に回転すると、被検知体７ｂが検知体６ａに近接して、第一の検知体６ａによって検出されるが、検知体６ｂは何も検出しない。回転体２が、Ａ方向に更に続いて回転すると、被検知体７ｂと被検知体７ａが、夫々検知体６ｂと検知体６ａに近接して、検知体６ｂと検知体６ａによって同時に検出される。この場合、検知体６ｂと検知体６ａのいずれも第二の検知体となる。したがって、検知体６ａは、第一の検知体であるとともに第二の検知体でもある。
【００５３】
また、被検知体７ｂが、回転軌道上、検知体６ａからＡ方向に検知体６ｂまでの間に位置し、被検知体７ａが、回転軌道上、検知体６ｂからＡ方向に検知体６ａまでの間に位置する場合には、検知体６ｂと検知体６ａのいずれも第一の検知体となり、検知体６ｂは第二の検知体ともなる。さらに、被検知体７ｂが、回転軌道上、検知体６ｂからＡ方向に検知体６ａまでの間に位置し、被検知体７ａが、回転軌道上、検知体６ａからＡ方向に検知体６ｂまでの間に位置する場合には、検知体６ｂが第一の検知体となり、検知体６ａが第二の検知体となる。
このように回転体２のＡ方向への回転時における、第一の検知体と第二の検知体によって形成される３種類の検出態様は、いずれも検出パターンＣであるものとする。
【００５４】
回転体２が、図６に示すように、Ｂ方向に回転すると、被検知体７ａが検知体６ｂに近接して、第一の検知体６ｂによって検出されるが、検知体６ａは何も検出しない。回転体２が、Ｂ方向に更に続いて回転すると、被検知体７ｂと被検知体７ａが、夫々検知体６ｂと検知体６ａに近接して、検知体６ｂと検知体６ａによって同時に検出される。この場合において、検知体６ｂと検知体６ａのいずれも第二の検知体となる。したがって、検知体６ｂは、第一の検知体であるとともに第二の検知体でもある。
【００５５】
また、被検知体７ａが、回転軌道上、検知体６ｂからＢ方向に検知体６ａまでの間に位置し、被検知体７ｂが、回転軌道上、検知体６ａからＢ方向に検知体６ｂまでの間に位置する場合には、検知体６ｂと検知体６ａのいずれも第一の検知体となり、検知体６ａのみ第二の検知体ともなる。さらに、被検知体７ａが、回転軌道上、検知体６ａからＢ方向に検知体６ｂまでの間に位置し、被検知体７ｂが、回転軌道上、検知体６ｂからＢ方向に検知体６ａまでの間に位置する場合には、検知体６ａが第一の検知体となり、検知体６ｂが第二の検知体となる。
このように回転体２のＢ方向への回転時における、第一の検知体と第二の検知体によって形成される３種類の検出態様は、いずれも検出パターンＤであるものとする。
【００５６】
検知手段５は、検出態様が検出パターンＣである場合に、検知信号（信号Ｚとする。）を出力し、検出態様が検出パターンＤである場合に、信号Ｒと相違する検知信号（信号Ｅとする。）を出力する。
【００５７】
回転装置１ｄは、検知信号が信号Ｚである場合に、発光体９ａに通電して、これを青色発光させてなる発光態様とし、検知信号が信号Ｅである場合である場合に、発光体９ｂに通電して、これを赤色発光させてなる発光態様とする。
【００５８】
回転装置１ｄにおいて、検出態様は、検出パターンＣ或いはＤのいずれか一方に必ず該当しており、検出パターンＣの検出態様は、Ａ方向に回転体２が回転する場合にのみ現れ、この時発光体９ａが青色発光し、検出パターンＤの検出態様は、Ｂ方向に回転体２が回転する場合にのみ現れ、この時発光体９ｂが赤色発光する。従って、本発明の回転装置１ｄは、回転体２の回転方向を確実に識別可能にするものである。
このように、本発明の回転装置１ｄは、回転体２の回転方向を識別可能に構成しているから、既述したように遊技者に遊技球の進行方向を容易に認識可能とするものである。
【００５９】
本発明の回転装置１ｄは、検知手段５によって回転体２の回転方向が検知されるごとに、所定時間発光体９の発光態様を維持するように構成されてもよい。図９は、この回転装置１ｄについて、発光体９の発光態様の維持と変化を制御する方法の一例を示す概念図である。
この回転装置１ｄは、発光体９ａ、９ｂの通電状態を制御する発光制御部７０を設けている。発光制御部７０は、スイッチＳ１、Ｓ２（図示しない）を設け、検知体６による被検知体７の検出によって出力される検出信号と検知信号の内容に応じて、以下のようにスイッチＳ１、Ｓ２をオン状態、オフ状態とすることによって発光体９への通電状態を変更し、発光体９ａ、９ｂの発光態様を変化させる。
【００６０】
この回転装置１ｄにおいて、検知体６と被検知体７の設置数や配置は限定されないが、検知体６と被検知体７とからなる検知手段５を、図４に示すように配設してなるものを一例に挙げると、検知体６による被検知体７の検出は、以下のように行われる。
【００６１】
回転装置１ｄの回転体２がＡ方向に回転する場合、被検知体７が検知体６ａに近接し、第一の検知体６ａよって検出されて、この検知体６ａより検出信号が出力される。更に、回転体２がＡ方向に回転すると、被検知体７が検知体６ｂに近接し、第二の検知体６ｂよって検出されて、この検知体６ｂより検出信号が出力されるとともに、既述のように第一の検知体と第二の検知体によって形成される検出態様は検出パターンＡとなるから、検知手段５が検知信号（信号Ｒ）を出力する。
【００６２】
一方、回転体２がＢ方向に回転する場合、被検知体７が検知体６ｃに近接し、第一の検知体６ｃよって検出されて、この検知体６ｃより検出信号が出力される。更に、回転体２がＢ方向に回転すると、被検知体７が検知体６ｂに近接し、第二の検知体６ｂよって検出されて、この検知体６ｂより検出信号が出力されるとともに、既述のように第一の検知体と第二の検知体によって形成される検出態様は検出パターンＢとなるから、検知手段５が検知信号（信号Ｌ）を出力する。
【００６３】
検出信号は、被検知体７が検知体６によって検出されるごとに出力され、検出信号が１回出力される毎に、発光制御部７０のスイッチＳ１を予め定められた時間（５秒間とする。）だけオン状態とする。
【００６４】
検知信号は、信号Ｒである場合において、発光体９ａに対して発光制御部７０のスイッチＳ２をオン状態として、例えば、発光体９を青色発光可能な状態にする。また、検知信号は、信号Ｌである場合において、発光体９ｂに対して発光制御部７０のスイッチＳ２をオン状態として、例えば、発光体９を赤色発光可能な状態にする。
【００６５】
また、スイッチＳ１とスイッチＳ２は、発光体９と発光エネルギー供給源との間に直列に配設されて、両スイッチをいずれもオン状態にしている時間だけ発光体９の発光態様を維持するように構成している。このような回転装置１ｄは、例えば、検出信号が出力されて、スイッチＳ１が５秒間オン状態となるとともに、検知信号として信号Ｒが出力されて、スイッチＳ２がオン状態となることによって、発光体９ａを青色発光させてなる発光態様を５秒間維持するように構成するものである。
【００６６】
ここで、次々に打ち出された遊技球が、この回転装置１ｄの回転体２に高い頻度で衝突する場合に、回転体２は回転状態になりやすいため、発光制御部７０のスイッチＳ１とスイッチＳ２は高い頻度でオン状態となり、発光体９の発光頻度が高くなる。
また、次々に打ち出された遊技球が、この回転装置１ｄの回転体２に低い頻度で衝突する場合に、回転体２は回転状態になりにくいため、発光制御部７０のスイッチＳ１とスイッチＳ２は低い頻度でオン状態となり、発光体９の発光頻度が低くなる。
【００６７】
また、次々打ち出された遊技球が、この回転装置１ｄの回転体２に衝突して右進行方向に振り分けられ続ければ、既述したように回転体２はＡ方向に回転し続け、発光体９の発光態様は、発光体９ａを青色発光してなる発光態様となるが、これと同時に、回転体２の回転速度が上昇する。この場合、回転装置１ｄは、検出信号をより短い時間間隔で出力し、発光制御部７０のスイッチＳ１を短い時間間隔でオン状態とするから、スイッチＳ１をオフ状態とする時間を少なくするとともに、発光体９を消灯状態とする時間間隔を短くし、そして回転体２の回転速度が上昇して一定値を超える場合には、発光体９を連続的に発光しているかの如き発光態様にする。このことは、遊技球がこの回転装置１ｄの回転体２に衝突して左進行方向に振り分けられ続けることにより、既述したように、回転体２がＢ方向に回転し続ける場合においても同様である。
【００６８】
このように、回転装置１ｄは、遊技者に対して遊技球と回転体２との衝突頻度を認識可能にするとともに、回転体２の回転速度に応じて発光体９の発光態様を変化可能に構成するものである。
【００６９】
ここで、次々打ち出された遊技球が始動入賞口５５へ入りやすいか入り難いかについては、遊技球と回転体２との衝突頻度や、振り分けられる遊技球の進行方向の影響を受ける。すなわち、回転装置１ｄの回転体２と遊技球との衝突頻度が高くなるにつれ、始動入賞口５５へ入賞し易い進行方向を移動する可能性のある遊技球の個数は多くなり、また、遊技球がより多く右進行方向に振り分けられるにつれ、回転体２のＡ方向への回転速度が速くなると同時に、始動入賞口５５へ入賞しやすい遊技球が増加する。
【００７０】
したがって、この回転装置１ｄは、回転体２と遊技球との衝突頻度を識別可能にするものであるから、始動入賞口５５へ入賞し易い進行方向を移動する可能性のある遊技球の個数が多いか少ないかを判別可能にするものであり、また、回転体２の回転速度の識別を可能にするものであるから、遊技球が始動入賞口５５への入賞しやすい進行方向に振り分けられる傾向にあるか否かの判別を可能にするものである。
【００７１】
なお、この回転装置１ｄにおいて、発光制御部７０のスイッチＳ１をオン状態にする時間は、上記した５秒間に限らず任意に設定可能である。また、回転装置１ｄは、スイッチＳ１を通常オン状態として、検出信号が出力される毎に所定時間オフ状態となるように構成してもよい。
【００７２】
本発明の回転装置１ｄは、図１０に示すように、検知手段５が回転体２の回転速度を検知し、発光体９の発光態様が、回転体２の回転速度に応じて、発光体９を異なる点滅間隔で発光させることにより変化するように構成してなるものであってもよい。
【００７３】
この回転装置１ｄは、検知体６と被検知体７を有する検知手段５に回転体２の回転速度を計測する計測部７１を備えるとともに、発光制御部７０と、所定のデータを記憶可能な記憶部７２を設けている。なお、記憶部７２としては、ＲＡＭ、ＲＯＭ、メモリ等が具体的に例示される。
【００７４】
記憶部７２は、予め、点滅間隔の短いパターンや長いパターンなど所定の点滅パターンのデータを入力した点滅テーブルを設けている。
記憶部７２の点滅テーブルは、予め、点滅パターン１を、発光体９を０．１秒間隔で５回点灯させるパターンに対応させたデータと、点滅パターン２を、発光体９を０．５秒間隔で５回点灯するパターンに対応させたデータとを格納するとともに、点滅パターン１を、回転体２の回転速度が３回転／秒より速い場合に呼び出しものとして対応付けたデータと、点滅パターン２を、回転体２の回転速度が３回転／秒より遅い場合に呼び出すものとして対応付けたデータとを格納している。
【００７５】
この回転装置１ｄにおいて、検知体６と被検知体７の設置数や配置は限定されないが、検知体６と被検知体７とからなる検知手段５を、図４に示すように配設してなるものを一例に挙げると、検知体６による被検知体７の検出は、以下のように行われる。
【００７６】
回転装置１ｄの回転体２がＡ方向に回転する場合、被検知体７が検知体６ａに近接し、第一の検知体６ａよって検出されて、この検知体６ａより検出信号（第一の検出信号とする）が出力される。更に、回転体２がＡ方向に回転すると、被検知体７が検知体６ｂに近接し、第二の検知体６ｂよって検出されて、この検知体６ｂより検出信号（第二の検出信号とする。）が出力されるとともに、既述したように第一の検知体と第二の検知体によって形成される検出態様が検出パターンＡとして特定されるため、検知手段５が検知信号（信号Ｒ）を出力する。
【００７７】
一方、回転体２がＢ方向に回転する場合、被検知体７が検知体６ｃに近接し、第一の検知体６ｃよって検出されて、この検知体６ｃより検出信号（第一の検出信号とする。）が出力される。更に、回転体２がＢ方向に回転すると、被検知体７が検知体６ｂに近接し、第二の検知体６ｂよって検出されて、この検知体６ｂより検出信号（第二の検出信号とする。）が出力されるとともに、既述したように第一の検知体と第二の検知体によって形成される検出態様が検出パターンＢとして特定されるため、検知手段５が検知信号（信号Ｌ）を出力する。
【００７８】
計測部７１は、第一の検出信号と第二の検出信号を受け取り、両検出信号の時間間隔を計測し、この時間間隔と、回転軸４を中心として回転する被検知体７の回転角及び／又は距離に等しい回転体２の回転角及び／又は距離とから、回転速度を計測するとともに、回転速度の情報を記憶部７２に通知する。
【００７９】
記憶部７２に、３回転／秒より速い回転体２の回転速度が通知されると、発光体９を０．１秒間隔で５回点灯させる点滅パターン１のデータが点滅テーブルから呼び出され、発光制御部７０に通知される。
記録部７２に、３回転／秒より遅い回転体２の回転速度が通知されると、発光体９を０．５秒間隔で５回点灯させる点滅パターン２のデータが点滅テーブルから呼び出され、発光制御部７０に通知される。
【００８０】
発光制御部７０は、スイッチＳ１、Ｓ２（図示しない）を設けるとともに、両スイッチを共にオン状態とする場合に発光体９を発光させるように構成しており、記憶部７２から点滅パターン１の情報を通知されると、スイッチＳ１を０．１秒間隔で５回ずつオン状態とオフ状態を繰りかえさせる。また、発光制御部７０は、記憶部７２から点滅パターン２の情報を通知されると、スイッチＳ１を０．５秒間隔で５回ずつオン状態とオフ状態を繰りかえさせる。
【００８１】
既述したように、検知信号は、信号Ｒである場合、スイッチＳ２をオン状態として発光体９ａを青色発光させる。検知信号は、信号Ｌである場合、発光体９ｂを赤色発光させる。
【００８２】
従って、この回転装置１ｄは、例えば、速い速度でＡ方向に回転し、発光制御部７０に点滅パターン１と信号Ｒを通知される場合に、発光体９の発光態様を０．１秒間隔で５回青色発光させてなる発光態様とするように構成するものである。
【００８３】
すなわち、この回転装置１ｄは、上記したような発光体９の点滅間隔の短い発光態様と長い発光態様とを有し、発光体９の発光態様を、回転体２の回転速度が所定値より速い場合に発光体９の発光態様を点滅間隔の短い発光態様とし、回転体２の回転速度が所定値より遅い場合に発光体９の発光態様を点滅間隔の長い発光態様とするように構成していることにより、回転体２の回転速度に応じて発光体９の発光態様を変化させることができて、回転体２の回転速度を識別可能にするものである。
【００８４】
ここで、既述したように、遊技球が、回転装置１ｄの回転体２に衝突して、より多く右進行方向に振り分けられると、回転体２のＡ方向への回転速度が速くなると同時に、始動入賞口５５へ入賞しやすい遊技球が増える。
したがって、この回転装置１ｄは、回転体２の回転速度を識別可能にするものであるから、遊技者に遊技球の始動入賞口５５への入賞しやすさを認識可能にするものであるという利点がある。
【００８５】
なお、この回転装置１ｄにおいて、計測部７１は、第一の検出信号と第二の検出信号の時間間隔を測定可能であれば、検知手段５に組み込まれた回路で構成されてもよいし、別途装置として検知手段５に接続されてもよい。
【００８６】
記憶部７２の点滅テーブルに格納される点滅パターンは、上記した点滅パターン１、２に限定されず、適宜点滅パターンを定めてもよい。また、点滅パターンの種類は、点滅パターン１、２の２種類に限定されず、１種類でもよいし３種類以上であってもよい。すなわち、この回転装置１ｄは、点滅パターンを予め人為的に設定することができるものであり、容易に発光体９を複雑な点滅パターンで発光可能とするものである。
【００８７】
また、記憶部７２の点滅テーブルは、点滅パターンを回転体２の回転速度に対応づけているものに限らず、第一の検出信号と第二の検出信号との時間間隔に対応づけているものでもよい。すなわち、例えば、記憶部７２の点滅テーブルは、第一の検出信号と第二の検出信号との時間間隔が０．１秒より短い場合に点滅パターン１を呼び出し、第一の検出信号と第二の検出信号との時間間隔が０．１秒より長い場合に点滅パターン２を呼び出すように対応付けてもよい。この場合、回転装置１ｄは、計測部７１によって測定された時間間隔に応じて、記憶部７２から点滅パターンを呼び出すように構成できるため、計測部７１は、第一の検出信号と第二の検出信号の時間間隔を測定可能であれば、回転体２の回転速度を計測可能でなくともよい。ただし、回転装置１ｄにおいて、夫々の検知体６が、被検知体７の回転軌道に沿って等間隔で設けられていない場合には、計測部７１は、回転体２の回転速度を計測することが好ましい。
【００８８】
本発明の回転装置１ｄにおいて、発光制御部７０は、発光体９の発光態様の制御可能であれば、スイッチＳ１、Ｓ２を設けるものに限らない。
【００８９】
本発明の回転装置１ｄは、回転軸４が回転体２の筒部１１に固定されるとともに、回転軸４がボス部１２に回動可能に支持されるように設けられてもよい。
【００９０】
回転体２は、錘を設けること等によって、回転体２の回転時に被検知体７によって回転バランスを崩さないように構成してもよい。
【００９１】
また、本発明の回転装置１ｄにおいて、発光体９の発光色は、上記したような色に限られず、黄、橙、緑、白等適宜選択できる。
また、本発明の回転装置１ｄは、上記したような互いに異なる発光色を有する発光体を２つ設けてなるものに限られず、複数の発光体の発光態様を備えるように構成していれば、発光体を１つ設けてなるものであってもよいし、３以上設けてなるものでもよい。たとえば、回転装置１ｄは、発光体を３つ設け、夫々異なる発光色を有してもよいし、発光体の２つが同一の発光色を有するとともに、他の１つが別の発光色を有するように構成してもよい。
【００９２】
さらに、本発明の回転装置１ｄの発光体９は、異なる発光色を有するものに限定されず、発光色を１種類有するものであってもよい。たとえば、回転装置１ｄは、所定の回転方向に回転体２が回転する場合にのみ発光体９を発光させるように構成すれば、１種類の発光色を有する発光体を１つ設けてなるものでもよい。
ただし、回転装置１ｄが、遊技盤上の回転体２の配設される位置における装飾性を、その多様化により、より一層向上させるには、回転装置１ｄは発光体９の発光色を複数種類有することが好ましい。
【００９３】
また、発光体９は、その種類を特にフィラメント式ランプに限定されず、具体的に発光ダイオード（ＬＥＤ）などの発光部材を適宜採用してもよい。また、回転装置１ｄは、発光体９にフルカラーの発光部材を採用してもよい。
【００９４】
回転装置１ｄが、回転体２に向かって発光するように発光体９を配設している場合において、回転体２は、光透過性の材料より形成されたものとすることが好ましく、従って、透明色、半透明色の材料を用いて形成されることが好ましい。
さらに、回転体２は、その円盤部２５や円筒部２６にダイヤモンドカットや球面カット等の光拡散処理を施したものとすることが、発光体９の発光時における回転装置１ｄの装飾性を高める点でより好ましい。
【００９５】
さらに、回転装置１ｄは、発光体９を一体に設けているものに限定されない。
例えば、発光体９は、回転装置１ｄより分離して、遊技盤上回転装置１ｄ近傍位置に埋設され、回転体２の回転に応じて発光させるように構成されてもよい。
【００９６】
本発明の回転装置１ｄの検知手段５における検知体６と被検知体７は、回転体２の回転を検出可能なものであれば上記したものに限定しない。具体的には、例えば、フォトセンサーを検知体６とし、光源を被検知体７としてもよい。
【００９７】
また、回転装置１ｄは、被検知体７の取付位置を回転体２内部に限定するものではない。例えば、回転装置１ｄは、図８に示すように回転軸４と同期して回転可能な板状体１９を基板１４の裏面側に設けており、該板状体１９における基板１４と対向する面側には、被検知体７が設けられ、さらに基板１４の裏面側には、検知体６が回転軌道上の被検知体７に相対向するように設けられてもよい。この場合、回転装置１ｄは、検知体６によって被検知体７を検出するとともに検知手段５によって回転方向を検知でき、回転方向に応じて発光体９の発光態様を変化させることができるものであるから、遊技者に回転体２の回転方向を認識させるとともに、遊技球の進行方向の変化を認識可能とするものである。
【００９８】
また、本発明の回転装置１ｄにおいて、検知体６は、４つ以上設けられてもよい。このような回転装置１ｄは、例えば、上記したような検知体６を３つ配設した実施例と同様にして、回転軌道上の被検知体７に相対向するように４つ以上の検知体６を設けており、いずれか１つの検知体６が第一の検知体として被検知体７を検出し、ついで、第一の検知体に対して被検知体７の回転軌道に沿った両隣にある検知体６のいずれかが、第二の検知体として被検知体７を検出し、これら第一の検知体と第二の検知体の検出態様に応じて検知手段５が検知信号を出力する。さらに、発光体９の発光態様は、検知体６が３つの場合と同様に、これらの検知信号に応じた変化をする。
【００９９】
また、本発明の回転装置１ｄにおいて、被検知体７は、複数設けられてもよい。このように回転装置１ｄを構成すれば、回転装置１ｄに被検知体７が１つ設けられた場合に比べ、回転体２が僅かに回転しただけでも被検知体７が検知体６に近接して検出されやすくなり、回転体２の回転方向やその変化をより敏感に感知することができる利点がある。
【０１００】
本発明の回転装置１ｄは、回転体２がＡ方向に回転する場合に発光体９ａを青色発光させ、回転体２がＢ方向に回転する場合に発光体９ｂを赤色発光させるように構成したものを実施例としたが、回転体２がＡ方向に回転する場合に発光体９ｂを赤色発光させ、回転体２がＢ方向に回転する場合に発光体９ａを青色発光させるように構成してもよい。
また、回転装置１ｄは、回転体２の回転方向に応じて、特定の発光色を有する発光体９のみ発光させるものに限定されない。例えば、回転体２がＡ方向に回転する場合に発光体９を青色と赤色と交互に発光させ、回転体２がＢ方向に回転する場合に発光体９ｂを赤色発光させるように構成したものであってもよい。
【０１０１】
なお、本発明の回転装置について、遊技盤５０の回転装置１ｄを実施例として詳細を説明したが、遊技盤５０の回転装置１ａ、１ｂ、１ｃが回転装置１ｄと同様に構成されてもよい。また、回転装置１ｂ、１ｃは、遊技球がこれらの回転装置の回転体に衝突して右進行方向に振り分けられるときに、遊技球が回転装置１ｄに衝突して左進行方向に振り分けられる場合の発光態様となり、遊技球がこれらの回転装置の回転体に衝突して左進行方向に振り分けられるときに、遊技球が回転装置１ｄに衝突して右進行方向に振り分けられる場合の発光態様となるように構成してもよい。この場合、回転装置１ｂ、１ｃは、遊技球が始動入賞口５５に入賞し易い進行方向に振り分けられる場合と入賞し難い方向に振り分けられる場合とで、発光体の発光態様を回転装置１ｄと同様にすることができる。
【０１０２】
本発明の回転装置は、パチンコ遊技機の他、アレンジボール遊技機等といった弾球遊技機にも好適に実施しうる。
【０１０３】
【発明の効果】
本発明の回転装置は、遊技盤面上の遊技領域に配設されて、遊技球の接触により回転する回転体と、所定の発光色を有する発光体とを設けてなる回転装置において、回転体の回転方向を検知する検知手段を備え、回転体の回転方向に応じて、発光体の発光態様が変化するように構成したので、遊技者にとって関心ある遊技球の進行方向を、遊技者が容易に識別できると共に、遊技盤上の回転体の配設される位置における装飾性を、その多様化により、より一層向上したものとなる。
【図面の簡単な説明】
【図１】本発明における回転装置の実施例の一つを示す斜視図である。
【図２】本発明における回転装置の実施例の一つを示す側面図である。
【図３】本発明における回転装置を備える弾球遊技機の実施例の一つを示す正面図である。
【図４】図２におけるＡ−Ａ断面図である。
【図５】本発明における回転装置の他の実施例を示す、図４の断面図に相当する図面である。
【図６】本発明における回転装置の他の実施例を示す、図４の断面図に相当する図面である。
【図７】本発明における回転装置の実施例の一つを示す分解斜視図である。
【図８】本発明における回転装置の他の実施例を示す分解斜視図である。
【図９】本発明における回転装置の他の実施例を示す概念図である。
【図１０】本発明における回転装置の他の実施例を示す概念図である。
【符号の説明】
１、１ａ、１ｂ、１ｃ、１ｄ  回転装置
２  回転体
３  基台
４  回転軸
５  検知手段
６  検知体
７  被検知体
９  発光体
１１  筒部
１２  ボス部
１３  取付基台
１４  基板
５０  遊技盤
５１  遊技領域
【図１】
2005000548.tif 000003
【図２】
2005000548.tif 000004
【図３】
2005000548.tif 000005
【図４】
2005000548.tif 000006
【図５】
2005000548.tif 000007
【図６】
2005000548.tif 000008
【図７】
2005000548.tif 000009
【図８】
2005000548.tif 000010
【図９】
2005000548.tif 000011
【図１０】
2005000548.tif 000012